(57)【要約】【課題】水皿に連結されたカムアームと該カムアームを回転させる作動手段の駆動軸とを連結する連結ピンの脱落を防止する。【解決手段】カムアーム３３の第１ボス部３８と、アクチュエータモータ３５の駆動軸３６とは、第１ボス部３８の外周面５３に開口するよう該第１ボス部３８に貫通形成されたアーム挿通孔４１および該アーム挿通孔４１と整合するよう駆動軸３６に貫通形成された軸挿通孔４２に亘り挿通させた連結ピン５１により連結される。第１ボス部３８の外周面５３には、アーム挿通孔４１の第１開口４１Ｃを外側から塞ぐ第２カバー部５７および第２開口４１Ｄを外側から塞ぐ第３カバー部５８を有するカバー部材５５が装着される。アーム挿通孔４１および軸挿通孔４２に挿入した連結ピン５１は、カバー部材５５により該挿通孔４１,４２から脱抜することが防止される。【選択図】図１
2014115044.tif 000002
【特許請求の範囲】
【請求項１】
一方に開口する製氷室を画成した製氷部(21)と、該製氷室の開口を開閉するように傾動自在に枢支された水皿(22)と、該水皿(22)に先端部(37B)側が連結され、基部(37A)側を中心として回転可能なカムアーム(33)と、前記カムアーム(33)の基部(37A)側に突設されたボス部(38)に駆動軸(36)が差込まれ、該駆動軸(36)を介してカムアーム(33)を回動させることで前記水皿(22)を製氷部(21)の閉成位置および開放位置に移動させる作動手段(35)とを備え、前記ボス部(38)と駆動軸(36)とは、ボス部(38)の外周面(53)に開口するよう該ボス部(38)に貫通形成されたアーム挿通孔(41)および該アーム挿通孔(41)と整合するよう駆動軸(36)に貫通形成された軸挿通孔(42)に亘り挿通させた連結ピン(51,81,101)により連結される自動製氷機において、
前記ボス部(38)に装着した際に、前記アーム挿通孔(41)の開口(41C,41D)を外側から塞ぐカバー部(57,58,85,86,92,113,114)を有するカバー部材(55,61,71,82,91,102,111)を備え、
前記カバー部(57,58,85,86,92,113,114)により、前記アーム挿通孔(41)および軸挿通孔(42)に挿入した前記連結ピン(51,81,101)が該挿通孔(41,42)から脱抜するのを防止するよう構成した
ことを特徴とする自動製氷機。
【請求項２】
前記カバー部材(71,82,111)は、前記ボス部(38)に対して回転可能に装着され、該カバー部材(71,82,111)は、前記カバー部(57,58,85,86113,114)で前記開口(41C,41D)を塞ぐ保持位置と該開口(41C,41D)を開放する開放位置とに変位可能に構成された請求項１記載の自動製氷機。
【請求項３】
前記カバー部材(71,82,111)は、前記ボス部(38)の外周に設けられた第１回転規制部(53A,54)に周方向で係合可能な第２回転規制部(72,87,112)が設けられ、
少なくとも前記アーム挿通孔(41)の開口(41C,41D)を前記カバー部(57,58,85,86,113,114)で塞いだ保持位置では、前記第１回転規制部(53A,54)と第２回転規制部(56,87,112)とが係合することで、前記カバー部材(71,82,111)が前記ボス部(38)の周方向へ回転するのを抑制するよう構成された請求項２記載の自動製氷機。
【請求項４】
前記カバー部材(61)には、前記駆動軸(36)に回転不能に係止される係止部(66B)が設けられ、
前記カバー部材(61)は、前記アーム挿通孔(41)の開口(41C,41D)を前記カバー部(63,64)で塞いだ保持位置では、前記係止部(66B)が前記駆動軸(36)に係止されていることで、該カバー部材(61)が前記ボス部(38)の周方向へ回転するのを規制するよう構成された請求項２または３記載の自動製氷機。
【請求項５】
前記カバー部材(91)には、前記カムアーム(33)が配設される支持軸(31)に回転不能に係止される係止部(93B)が設けられ、
前記カバー部材(91)は、前記アーム挿通孔(41)の開口(41C,41D)をカバー部(92)で塞いだ保持位置では、前記係止部(93B)が前記支持軸(31)に係止されていることで、該カバー部材(91)が前記ボス部(38)の周方向へ回転するのを規制するよう構成された請求項２または３記載の自動製氷機。
【請求項６】
前記連結ピン(101)は、長手方向の一端部に、前記アーム挿通孔(41)の開口(41C)より大径に形成された頭部(101B)を備えると共に、前記頭部(101B)が前記外周面(53)に係止した状態において長手方向の他端部が前記ボス部(38)の外周面(53)から突出する長さに形成され、
前記カバー部材(102)には、前記連結ピン(101)の突出した他端部に係合する係合部(107)が設けられ、
前記カバー部材(102)は、前記アーム挿通孔(41)の開口(41C)を前記カバー部(104,105)を塞いだ保持位置では、前記係合部(107)が前記連結ピン(101)に係止されていることで、該カバー部材(102)が前記ボス部(38)の周方向へ回転するのを規制するよう構成された請求項１記載の自動製氷機。
【発明の詳細な説明】
【技術分野】
【０００１】
本発明は、姿勢変位可能に配設された水皿に連結されるカムアームと、このカムアームに連結され、該カムアームを回転させて水皿を製氷室の閉成位置および開放位置に移動させる作動手段とを備えた自動製氷機に関するものである。
【背景技術】
【０００２】
図１６は、ブロック状の氷塊を連続的に生成可能な噴射式の自動製氷機Ｍを、アッパーパネルおよびフロントパネルを取外した状態で示す斜視図である。この自動製氷機Ｍは、略箱形をなす筐体１０の内部を上下に区画して、上方を貯氷庫１１とすると共に下方を機械室１２として構成され、貯氷庫１１の内部上方には氷塊を生成する製氷部２１を備えた製氷機構２０が配設され、機械室１２には、該製氷部２１を冷やす冷凍機構(図示せず)等が配設されている。このような自動製氷機Ｍは、冷凍機構の製氷運転により製氷機構２０の製氷部２１を冷却することで該製氷部２１において氷塊を生成し、冷凍機構の除氷運転により製氷部２１を加熱することで該製氷部２１で生成された氷塊を落下放出させて貯氷庫１１内に貯留するようになっている。
【０００３】
製氷機構２０は、図１６〜図１８に示すように、筐体１０の上部に略水平に架設された取付部材１３に懸架した状態で配設され、下向きに開口した複数の製氷小室(図示せず)を形成した製氷部２１と、製氷部２１の下方に配設されて各製氷小室を開閉可能な水皿２２と、水皿２２の下部に配設されて給水弁２５を介して供給された水道水を製氷水として貯留する製氷水タンク２３と、水皿２２および製氷水タンク２３を一体的に傾動させる水皿開閉機構３０とから構成されている。水皿２２は、その左側端部に取付けられた支持アーム２２Ａが取付部材１３のブラケット１４に枢支され、右側端部は水皿開閉機構３０におけるカムアーム３２,３３の先端にコイルスプリング３４を介して連結され、該カムアーム３２,３３が回転することで、略水平姿勢となって製氷部２１の各製氷小室を閉成した閉成位置(図１７に実線で表示)と、右下がりの傾斜姿勢となって各製氷小室を開放した開放位置(図１７に２点鎖線で表示)とに姿勢変位するようになっている。このような製氷機構２０は、水皿２２を閉成位置に保持すると共に製氷部２１を冷却したもとで、製氷水タンク２３内に貯留された製氷水タンク２３を水皿２２に配設された噴射ノズル(図示せず)を介して各製氷小室へ噴射することで、各製氷小室に氷塊が生成されるよう構成されている。
【０００４】
水皿開閉機構３０は、図１６〜図１８に示すように、取付部材１３に対し前後に離間して配設された軸支部材１５,１５に架設された支持軸３１の前端および後端に各々配設され、水皿２２の右端部に対しコイルスプリング３４,３４を介して連結された一対のカムアーム３２,３３と、前側のカムアーム３３に駆動軸３６が連結されたアクチュエータモータ３５とを備えている。このような水皿開閉機構３０は、アクチュエータモータ３５の駆動により支持軸３１に固定された各カムアーム３２,３３が同期的に正逆回転し、各カムアーム３２,３３が略垂直に起立した初期姿勢(図１７に実線および破線で表示)において水皿２２が閉成状態に保持され、各カムアーム３２,３３が初期姿勢から左に回転するに従って水皿２２が右下がりの姿勢に姿勢変位し、各カムアーム３２,３３が下方へ延出した作動姿勢(図１７に２点鎖線で表示)において水皿２２が開放状態に保持されるよう構成されている。なお、アクチュエータモータ３５およびカムアーム３３の回転により水皿２２を開閉動作させる水皿開閉機構は、特許文献１に開示されている。
【０００５】
ここで、水皿開閉機構３０における前側のカムアーム３３は、図１８および図１９(ａ)に示すように、アーム部３７の基部３７Ａ側の前面に、アクチュエータモータ３５の駆動軸３６が差込まれて連結される第１ボス部３８が前方へ突出して形成され、該アーム部３７の基部３７Ａ側の後面に、支持軸３１が差込まれて連結される第２ボス部３９が後方へ突出して形成されている。第１ボス部３８は、円形に形成されて、前端面(突出端面)３８Ａに開口する軸係止孔４０が後方へ延在するよう形成され、該軸係止孔４０に対してアクチュエータモータ３５の駆動軸３６が差込まれることで、カムアーム３３がアクチュエータモータ３５に支持される。また、図１９(ｂ)および図２０(ａ)に示すように、第１ボス部３８には、径方向へ延在して該第１ボス部３８の外周面５３に開口するアーム挿通孔４１が形成されると共に、アクチュエータモータ３５の駆動軸３６には、該アーム挿通孔４１と同一軸線上で整列する軸挿通孔４２が形成されている。そして、アーム挿通孔４１と軸挿通孔４２とが一直線に整列した状態で、両挿通孔４１,４２へ連結ピン４３を挿通することで、駆動軸３６に対してカムアーム３３が回転不能かつ脱抜不能に固定される。
【先行技術文献】
【特許文献】
【０００６】
【特許文献１】特開２０００−２０５７１５号公報
【発明の概要】
【発明が解決しようとする課題】
【０００７】
ところで、従来の自動製氷機Ｍの水皿開閉機構３０は、アーム挿通孔４１および軸挿通孔４２に挿通される連結ピン４３として、弾性のある板材を丸めて円筒状に形成されたスプリングピンが採用されている。すなわち連結ピン４３は、アーム挿通孔４１および軸挿通孔４２の内径よりやや大きい外径を有するスプリングピンが採用され、該連結ピン４３が径方向へ弾性変形しながらアーム挿通孔４１および軸挿通孔４２へ挿通させることで、弾性変形により生ずる弾力によりカムアーム３３と駆動軸３６とを連結するようになっている。しかしながら、図２０(ａ)に示すように、スプリングピンからなる連結ピン４３は、長手方向へ貫通する空洞が内部に形成されているため、製氷水として使用される水道水に含まれる塩素がガスとなって該空洞に侵入すると、該連結ピン４３の内部が腐食してスプリング性が低下することがある。また、連結ピン４３は、アクチュエータモータ３５によりカムアーム３３を回転させる際に、駆動軸３６の回転に対して反トルクが発生することで縮径的に変形することがある。すなわち、腐食により弾力性が低下した連結ピン４３が反トルクにより縮径的に変形すると、アーム挿通孔４１および軸挿通孔４２に対する連結ピン４３の保持力が低下して、該連結ピン４３がアーム挿通孔４１から脱抜し易くなる問題がある。
【０００８】
そこで本発明では、前述した従来の技術に内在している課題に鑑み、これを好適に解決するべく提案されたものであって、水皿に連結されたカムアームと該カムアームを回転させる作動手段の駆動軸とを連結する連結ピンの脱落を防止するようにした自動製氷機を提供することを目的とする。
【課題を解決するための手段】
【０００９】
前記課題を解決し、所期の目的を達成するため、請求項１に記載の発明は、
一方に開口する製氷室を画成した製氷部と、該製氷室の開口を開閉するように傾動自在に枢支された水皿と、該水皿に先端部側が連結され、基部側を中心として回転可能なカムアームと、前記カムアームの基部側に突設されたボス部に駆動軸が差込まれ、該駆動軸を介してカムアームを回動させることで前記水皿を製氷部の閉成位置および開放位置に移動させる作動手段とを備え、前記ボス部と駆動軸とは、ボス部の外周面に開口するよう該ボス部に貫通形成されたアーム挿通孔および該アーム挿通孔と整合するよう駆動軸に貫通形成された軸挿通孔に亘り挿通させた連結ピンにより連結される自動製氷機において、
前記ボス部に装着した際に、前記アーム挿通孔の開口を外側から塞ぐカバー部を有するカバー部材を備え、
前記カバー部により、前記アーム挿通孔および軸挿通孔に挿入した前記連結ピンが該挿通孔から脱抜するのを防止するよう構成したことを要旨とする。
【００１０】
従って、請求項１に係る発明によれば、ボス部に装着したカバー部材のカバー部によりアーム挿通孔の開口が塞がれているから、作動手段の駆動軸とカムアームのボス部とを固定した連結ピンが、開口から脱抜することを防止し得る。これにより、自動製氷機の運転中に、連結ピンが脱抜して、カムアームが駆動軸から外れることが防止される。
【００１１】
請求項２に記載の発明では、
前記カバー部材は、前記ボス部に対して回転可能に装着され、該カバー部材は、前記カバー部で前記開口を塞ぐ保持位置と該開口を開放する開放位置とに変位可能に構成されたことを要旨とする。
従って、請求項２に係る発明によれば、ボス部に装着した状態でカバー部材を保持位置から開放位置に姿勢変位させることができるから、該カバー部材をボス部から取外すことなくアーム挿通孔および軸挿通孔に対する連結ピンの挿入作業および脱抜作業を行なうことができる。
【００１２】
請求項３に記載の発明では、
前記カバー部材は、前記ボス部の外周に設けられた第１回転規制部に周方向で係合可能な第２回転規制部が設けられ、
少なくとも前記アーム挿通孔の開口を前記カバー部で塞いだ保持位置では、前記第１回転規制部と第２回転規制部とが係合することで、前記カバー部材が前記ボス部の周方向へ回転するのを抑制するよう構成されたことを要旨とする。
従って、請求項３に係る発明によれば、第１回転規制部と第２回転規制部とが係合していることで、作動手段の作動によりカムアームが回転して水皿を開閉させる際に、カバー部材がボス部の周方向へ回転することが抑制されて、該カバー部材のカバー部がアーム挿通孔の開口を塞いだ状態を維持でき、連結ピンが該開口を介して脱抜することを防止できる。
【００１３】
請求項４に記載の発明では、
前記カバー部材には、前記駆動軸に回転不能に係止される係止部が設けられ、
前記カバー部材は、前記アーム挿通孔の開口を前記カバー部で塞いだ保持位置では、前記係止部が前記駆動軸に係止されていることで、該カバー部材が前記ボス部の周方向へ回転するのを規制するよう構成されたことを要旨とする。
従って、請求項４に係る発明によれば、駆動軸に係止部が係止されていることで、作動手段の作動によりカムアームが回転して水皿を開閉させる際に、カバー部材に他部材が接触しても、カバー部材がボス部の周方向へ回転することが規制される。これにより、カバー部材のカバー部がアーム挿通孔の開口を塞いだ状態を維持できるから、連結ピンが該開口を介して脱抜することがない。
【００１４】
請求項５に記載の発明では、
前記カバー部材には、前記カムアームが配設される支持軸に回転不能に係止される係止部が設けられ、
前記カバー部材は、前記アーム挿通孔の開口を前記カバー部で塞いだ保持位置では、前記係止部が前記支持軸に係止されていることで、該カバー部材が前記ボス部の周方向へ回転するのを規制するよう構成されたことを要旨とする。
従って、請求項５に係る発明によれば、支持軸に係止部が係止されていることで、作動手段の作動によりカムアームが回転して水皿を開閉させる際に、カバー部材に他部材が接触しても、カバー部材がボス部の周方向へ回転することが規制される。これにより、カバー部材のカバー部がアーム挿通孔の開口を塞いだ状態を維持できるから、連結ピンが該開口を介して脱抜することがない。
【００１５】
請求項６に記載の発明では、
前記連結ピンは、長手方向の一端部に、前記アーム挿通孔の開口より大径に形成された頭部を備えると共に、前記頭部が前記外周面に係止した状態において長手方向の他端部が前記ボス部の外周面から突出する長さに形成され、
前記カバー部材には、前記連結ピンの突出した他端部に係合する係合部が設けられ、
前記カバー部材は、前記アーム挿通孔の開口を前記カバー部を塞いだ保持位置では、前記係合部が前記連結ピンに係止されていることで、該カバー部材が前記ボス部の周方向へ回転するのを規制するよう構成されたことを要旨とする。
従って、請求項６に係る発明によれば、連結ピンの突出した他端部に、カバー部材の係合部が係合されていることで、作動手段の作動によりカムアームが回転して水皿を開閉させる際に、カバー部材に他部材が接触しても、カバー部材がボス部の周方向へ回転することが規制される。これにより、カバー部材のカバー部がアーム挿通孔の開口を塞いだ状態を維持できるから、連結ピンが該開口を介して脱抜することがない。
【発明の効果】
【００１６】
本発明に係る自動製氷機によれば、水皿に連結されたカムアームと該カムアームを回転させる作動手段の駆動軸とを連結する連結ピンの脱落を防止することができる。
【図面の簡単な説明】
【００１７】
【図１】(ａ)は、第１実施例に係る自動製氷機の水皿開閉機構における主要部材を示す分解斜視図であり、(ｂ)は、各構成部材を連結した状態を示す部分斜視図である。
【図２】(ａ)は、図１(ｂ)のX1−X1線断面図であり、(ｂ)は、(ａ)のX2−X2線断面図である。
【図３】(ａ)は、第２実施例に係る自動製氷機の水皿開閉機構における主要部材を示す分解斜視図であり、(ｂ)は、各構成部材を連結した状態を示す部分斜視図である。
【図４】(ａ)は、図３(ｂ)のX3−X3線断面図であり、(ｂ)は、(ａ)のX4−X4線断面図である。
【図５】(ａ)は、第３実施例に係る自動製氷機の水皿開閉機構における主要部材を示す分解斜視図であり、(ｂ)は、各構成部材を連結した状態を示す部分斜視図である。
【図６】(ａ)は、図５(ｂ)のX5−X5線断面図であり、(ｂ)は、(ａ)のX6−X6線断面図である。
【図７】(ａ)は、第４実施例に係る自動製氷機の水皿開閉機構における主要部材を示す分解斜視図であり、(ｂ)は、各構成部材を連結した状態を示す部分斜視図である。
【図８】(ａ)は、第４実施例のカバー部材を前方から見た斜視図であり、(ｂ)は、第４実施例のカバー部材を後方から見た斜視図である。
【図９】(ａ)は、第４実施例において、アーム挿通孔および軸挿通孔へ連結ピンを差込む状態を示す説明断面図であり、(ｂ)は、(ａ)の状態からカバー部材を保持位置へ回転させて連結ピンを保持した状態を示す説明断面図である。
【図１０】(ａ)は、第５実施例に係る自動製氷機の水皿開閉機構における主要部材を示す分解斜視図であり、(ｂ)は、各構成部材を連結した状態を示す部分斜視図である。
【図１１】(ａ)は、図１０(ｂ)のX7−X7線断面図であり、(ｂ)は、(ａ)のX8−X8線断面図である。
【図１２】(ａ)は、第６実施例に係る自動製氷機の水皿開閉機構における主要部材を示す分解斜視図であり、(ｂ)は、各構成部材を連結した状態を示す部分斜視図である。
【図１３】(ａ)は、第６実施例におけるカバー部材を装着する状態を示す説明断面図であり、(ｂ)は、カバー部材を装着して連結ピンを保持した状態を示す説明断面図である。
【図１４】(ａ)は、第７実施例に係る自動製氷機の水皿開閉機構における主要部材を示す分解斜視図であり、(ｂ)は、各構成部材を連結した状態を示す部分斜視図である。
【図１５】(ａ)は、第７実施例において、カバー部材を回転させてアーム挿通孔および軸挿通孔へ連結ピンを差込む状態を示す説明断面図であり、(ｂ)は、連結ピンを差込んだ後、カバー部材を装着して連結ピンを保持した状態を示す説明断面図である。
【図１６】アッパーパネルおよびフロントパネルを取外した自動製氷機を示す斜視図である。
【図１７】従来の自動製氷機において、水皿開閉機構により水皿が開閉する製氷機構の正面図である。
【図１８】従来の自動製氷機において、水皿開閉機構により水皿が開閉する製氷機構の右側面図である。
【図１９】(ａ)は、従来の水皿開閉機構を構成するカムアームおよびアクチュエータモータを分解して示す斜視図であり、(ｂ)は、カムアームとアクチュエータモータの駆動軸との連結構造を示す斜視図である。
【図２０】従来のカムアームとアクチュエータモータの駆動軸との連結構造を示す断面図であって、(ａ)は、(ｂ)のX10−X10線断面図であり、(ｂ)は、(ａ)のX9−X9線断面図である。
【発明を実施するための形態】
【００１８】
次に、本発明に係る自動製氷機につき、好適な実施例を挙げて、添付図面を参照しながら以下説明する。ここで、図１６〜図２０に関連して説明した従来例に係る自動製氷機Ｍに既出の同一部材については、同一の参照符号で指示して、その詳細説明は省略する。なお実施例では、開閉扉が配設された側が自動製氷機Ｍの前側、前側から見た左右方向を自動製氷機Ｍの左右方向とし、上下方向を自動製氷機Ｍの上下方向とする。また、カムアーム３３の説明においては、図１(ａ)に示す初期姿勢を基準として、上下、左右、前後を指称する。
【実施例】
【００１９】
(第１実施例)
図１(ａ)は、第１実施例に係る自動製氷機Ｍの水皿開閉機構５０における要部を示す分解斜視図である。第１実施例の水皿開閉機構５０は、筐体１０に架設された取付部材１３の軸支部材１５,１５に対し前後方向に延在するよう支持された支持軸３１(図１８参照)に固定されると共に水皿２２にコイルスプリング３４を介して連結されるカムアーム３２,３３と、前側のカムアーム３３に駆動軸３６が連結される作動手段としてのアクチュエータモータ３５と、カムアーム３３とアクチュエータモータ３５の駆動軸３６とを固定する連結ピン５１と、カムアーム３３の第１ボス部３８に装着されるカバー部材５５とを備えている。ここで、カムアーム３３およびアクチュエータモータ３５は、図１６〜図２０に示した従来の自動製氷機Ｍの水皿開閉機構５０におけるカムアームおよびアクチュエータモータ３５と基本的に同じであり、連結ピン５１が異なると共に、カバー部材５５が新規に追加した構成となっている。
【００２０】
カムアーム３３は、図１(ａ)に示すように、基部３７Ａ側が左方へ突出して左右幅が最大とされると共に、該基部３７Ａから先端部３７Ｂに行くにつれて左右幅が徐々に小さくなる形状に形成されたアーム部３７と、該アーム部３７の基部３７Ａ側において前方へ突出するように形成された第１ボス部３８と、該アーム部３７の基部３７Ａ側において後方へ突出するように形成された第２ボス部３９とを備える。また、カムアーム３３は、コイルスプリング３４の上端側が掛止される掛止部４４が、アーム部３７の先端部３７Ｂ側において前方へ突出するように形成されている。なお、カムアーム３３は、合成樹脂製の一体成形部材である。
【００２１】
第１ボス部３８は、図１(ａ)および図２(ａ)に示すように、円形の外周面５３において左側部分が切除されると共に右側部分が右方へ突出し、かつ前端面３８Ａが上下および左右方向に平坦となるよう形成されている。すなわち、第１ボス部３８は、その外周面５３が、左側において上下方向へ略直線状に延在する第１外周面(第１回転規制部)５３Ａと、第１外周面５３Ａの上端から右方へ延在すると共に上方へ凸となる円弧状の第２外周面５３Ｂと、第１外周面５３Ａの下端から右方へ延在すると共に下方へ凸となる円弧状の第３外周面５３Ｃとを備えており、該第１ボス部３８は前側から見て「略Ｄ字形」をなしている。また、第１ボス部３８は、第２外周面５３Ｂの右端と第３外周面５３Ｃの右端との間に、右方へ突出する突部(第１回転規制部)５４が、前後に延在するように形成されている。ここで、第１ボス部３８に設けられた第１外周面５３Ａおよび突部５４は、後述するように、該第１ボス部３８の外周面５３に装着したカバー部材５５が、該第１ボス部３８の外周面５３に沿って周方向へ移動するのを規制するべく機能する。
【００２２】
軸係止孔４０は、図１(ａ)および図２(ａ)に示すように、第１ボス部３８の前端面３８Ａに開口すると共に、該前端面３８Ａから後方へ延在するように形成されている。ここで、アクチュエータモータ３５の駆動軸３６は、図１(ａ)に示すように、軸係止孔４０に差込まれる先端から所要長の部分が、軸中心を挟んで径方向の両側における外周部がカットされている。すなわち駆動軸３６は、先端側が所謂「Ｉカット」されて、軸中心を挟んだ両側にカット面３６Ａ,３６Ａが平行に形成されている。従って、第１ボス部３８に形成された軸係止孔４０は、アクチュエータモータ３５の駆動軸３６の先端形状に合致する開口形状に形成され、該駆動軸３６のカット面３６Ａ,３６Ａに当接する平面部４０Ａ,４０Ａが形成されている。これにより、軸係止孔４０に駆動軸３６が差込まれて該駆動軸３６に支持されたカムアーム３３は、カット面３６Ａと平面部４０Ａとが当接することで該駆動軸３６に対して周方向への回転が規制される。
【００２３】
第１ボス部３８には、図１および図２に示すように、第２外周面５３Ｂおよび第３外周面５３Ｃに各々開口するアーム挿通孔４１が、該第１ボス部３８を径方向に貫通するように形成されている。すなわちアーム挿通孔４１は、軸係止孔４０と直交するように形成されており、第２外周面５３Ｂおよび軸係止孔４０に各々開口する第１アーム挿通孔４１Ａと、該軸係止孔４０および第３外周面５３Ｃに各々開口する第２アーム挿通孔４１Ｂとからなり、第１アーム挿通孔４１Ａおよび第２アーム挿通孔４１Ｂは同一直線上に延在している。なお、アーム挿通孔４１は、延在方向と直交する断面形状が円形であり、下方に行くにつれて左方へ変位するよう傾斜している。
【００２４】
第１実施例におけるカバー部材(以降「第１カバー部材」という)５５は、図１および図２に示すように、第１ボス部３８の外周面５３に装着し得る形状に形成され、該第１ボス部３８に貫通形成されたアーム挿通孔４１の各開口４１Ｃ,４１Ｄを塞ぎ得るように構成されている。すなわち、カバー部材５５は、アーム挿通孔４１に挿入された連結ピン４３が、該アーム挿通孔４１から脱抜するのを防止するよう機能する部材である。
【００２５】
第１カバー部材５５は、第１ボス部３８の第１外周面５３Ａに沿う形状に形成された第１カバー部(第２回転規制部)５６と、該第１カバー部５６の上端から右方へ延在し、第２外周面５３Ｂの上部に沿うよう上方へ凸となる円弧状に形成された第２カバー部５７と、該第１カバー部５６の下端から右方へ延在し、第２外周面５３Ｂの下部に沿うよう下方へ凸となる円弧状に形成された第３カバー部５８とを備えている。そして、第１カバー部材５５は、第２カバー部５７の右端と第３カバー部５８との右端との間が離間しており、前側から見て「略Ｃ字形」に形成されている。また、第１カバー部材５５は、第２カバー部５７の右端および第３カバー部５８の右端に、径方向外方へ折曲して延出する逃げ部５９,５９が形成されており、両逃げ部５９,５９の間は右方に向けて拡開している。
【００２６】
第１カバー部材５５は、弾性変形可能なステンレス等の金属板材を折曲成形したり、合成樹脂材からインジェクション成形された成形部材であり、第２カバー部５７と第３カバー部５８とが互いに近接、離間するよう弾性変形が可能となっている。ここで、第１カバー部材５５の各寸法は、図１(ａ)に示すように、第１ボス部３８への装着前の通常状態において、第２カバー部５７と第３カバー部５８との間の最大間隔Ｄ１が、第１ボス部３８の第２外周面５３Ｂおよび第３外周面５３Ｃの最大間隔Ｄ２以下であり、また、第２カバー部５７の右端と第３カバー部５８の右端との上下間隔Ｗが、第１ボス部３８の第２外周面５３Ｂおよび第３外周面５３Ｃの最大間隔Ｄ２より小さく設定されている。また、図２(ｂ)に示すように、第１カバー部材５５の前後幅Ｈ１は、アーム部３７の前面とアクチュエータモータ３５の軸受け部３５Ｂの後面との前後方向での間隔Ｈ２より僅かに小さく設定されている。更に、円弧状の第２カバー部５７は、第１カバー部５６に連設する左端から右端までの延出長Ｌ１が第２外周面５３Ｂの周方向の長さＲ１より小さく設定されると共に、円弧状の第３カバー部５８は、第１カバー部５６に連設する左端から右端までの延出長Ｌ２が第３外周面５３Ｃの周方向の長さＲ２より小さく設定されている。
【００２７】
従って、第１カバー部材５５は、図１(ａ)に示すように、第１ボス部３８の外周面５３に装着する際に、各逃げ部５９,５９が該外周面５３の第２外周面５３Ｂおよび第３外周面５３Ｃの左端に当接し、第２カバー部５７および第３カバー部５８が互いに離間するように弾性変形することで、第１ボス部３８の外周面５３への装着が許容される。そして、第１ボス部３８の外周面５３に装着された第１カバー部材５５は、図１(ｂ)および図２(ｂ)に示すように、第１カバー部５６が第１外周面５３Ａに密着し、第２カバー部５７が第２外周面５３Ｂに密着すると共に、第３カバー部５８が第３外周面５３Ｃに密着するようになり、該第２カバー部５７および第３カバー部５８の弾性変形に伴う弾力により該第１ボス部３８を挟持した状態で保持される。これにより、第１カバー部材５５の第２カバー部５７が、アーム挿通孔４１における第２外周面５３Ｂに開口した第１開口４１Ｃを塞ぐと共に、カバー部材５５の第３カバー部５８が、アーム挿通孔４１における第３外周面５３Ｃに開口した第２開口４１Ｄを塞いだ状態となる。
【００２８】
なお、第１ボス部３８に装着された第１カバー部材５５は、第１外周面５３Ａに第１カバー部５６が密着することで該第１ボス部３８の周方向への回転が規制され、アーム挿通孔４１の第１開口４１Ｃおよび第２開口４１Ｄは塞がれた状態に保持される。そして、万一、コイルスプリング３４等の他部材が接触してカバー部材５５が周方向へ回転した場合には、逃げ部５９,５９の何れか一方が突部５４に当接することで回転が規制され、該逃げ部５９,５９が突部５４に当接した状態であっても、アーム挿通孔４１の第１開口４１Ｃおよび第２開口４１Ｄの両方が塞がれた状態に保持される。また、カバー部材５５の後端縁５５Ｂがアーム部３７の後面に当接することで、該カバー部材５５が後方へ移動することが規制されると共に、該カバー部材５５の前端縁５５Ａがアクチュエータモータ３５の軸受け部３５Ｂに当接することで、該カバー部材５５が前方へ移動することが規制される。
【００２９】
アクチュエータモータ３５は、減速ギアを備えたギアードモータであり、駆動軸３６が取付プレート３５Ａの後面から後方へ延出している(図１８、図１９参照)。駆動軸３６には、図１(ａ)および図２(ａ)に示すように、該駆動軸３６の軸心を通る軸挿通孔４２が、径方向に延在するように形成されている。この軸挿通孔４２は、駆動軸３６を軸係止孔４０に差込んだ際に、アーム挿通孔４１の第１アーム挿通孔４１Ａおよび第２アーム挿通孔４１Ｂの各開口に整合すると共に、該アーム挿通孔４１の延在方向と一直線に整列する向きに形成されている。従って、駆動軸３６を軸係止孔４０に差込み、アーム挿通孔４１の第１アーム挿通孔４１Ａおよび第２アーム挿通孔４１Ｂと軸挿通孔４２とが一直線に整列した状態において、第１ボス部３８の第１開口４１Ｃまたは第２開口４１Ｄから連結ピン５１を差込むことで、該連結ピン５１は、第１アーム挿通孔４１Ａ、軸挿通孔４２および第２アーム挿通孔４１Ｂに亘って延在するようになる。
【００３０】
第１実施例の連結ピン５１は、図２(ａ)に示すように、内部に空洞を有さない中実の細長部材であり、長手方向と直交する短手方向の断面形状が円形である。連結ピン５１は、アーム挿通孔４１の第１開口４１Ｃと第２開口４１Ｄとの距離と同一長または僅かに短い長さで、かつ該第１アーム挿通孔４１Ａおよび軸挿通孔４２の内径と同一または僅かに小さい外径に形成されている。従って連結ピン５１は、アーム挿通孔４１および軸挿通孔４２に差込む際に、軽い力で挿入することが可能であり、アーム挿通孔４１および軸挿通孔４２に挿入した状態では第１開口４１Ｃおよび第２開口４１Ｄから突出しないようになっている。また連結ピン５１は、アーム挿通孔４１および軸挿通孔４２に挿入された状態において、第１開口４１Ｃまたは第２開口４１Ｄに臨む端部を軸方向へ押すことで、第１ボス部３８の外へ簡易に抜き出すことが可能となっている。
【００３１】
(第１実施例の作用)
前述のように構成された第１実施例の水皿開閉機構５０は、図１(ａ)に示すように、アクチュエータモータ３５の駆動軸３６をカムアーム３３の軸係止孔４０に差込んで、該カムアーム３３を駆動軸３６に支持させる。そして、カムアーム３３のアーム挿通孔４１に駆動軸３６の軸挿通孔４２が一列に整列するよう該カムアーム３３を位置決めしたもとで、該アーム挿通孔４１および軸挿通孔４２に亘って連結ピン５１を差込む。次に、第１カバー部材５５を、第１ボス部３８の側方から装着して、アーム挿通孔４１の第１開口４１Ｃおよび第２開口４１Ｄを、該カバー部材５５の第２カバー部５７および第３カバー部５８で塞いだ保持位置とする(図１(ｂ)、図２(ａ))。なお、第１カバー部材５５を第１ボス部３８の外周面に装着する際は、各逃げ部５９,５９を第２カバー部５７の右端と第３カバー部５８の右端との間を第１ボス部３８の左側に整合させた状態で右方へ押すことで、第２カバー部５７および第３カバー部５８が離間する方向へ弾性変形するので、第１ボス部３８の外周面５３に対して第１カバー部材５５を装着することが許容される。
【００３２】
従って、第１実施例の水皿開閉機構５０によれば、第１ボス部３８に装着した第１カバー部材５５の第２カバー部５７および第３カバー部５８によりアーム挿通孔４１の第１開口４１Ｃおよび第２開口４１Ｄが塞がれているから、アクチュエータモータ３５の駆動軸３６とカムアーム３３とを固定した連結ピン５１が、第１開口４１Ｃまたは第２開口４１Ｄから脱抜することを防止し得る。そして、第１ボス部３８の第１外周面５３Ａと第１カバー部材５５の第１カバー部５６とが密着した状態となるから、第１カバー部材５５が第１ボス部３８の周方向へ回転し難くなっており、第１カバー部材５５にコイルスプリング３４等の他部材が接触しても該第１カバー部材５５の回転を抑制し得る。なお、コイルスプリング３４等の他部材が第１カバー部材５５に接触して該第１カバー部材５５が第１ボス部３８の周方向へ回転したとしても、逃げ部５９,５９が第１ボス部３８に設けられた突部５４に当接することで、それ以上の回転を規制することができる。更に、第１ボス部３８に装着した第１カバー部材５５は、カムアーム３３のアーム部３７およびアクチュエータモータ３５の軸受け部３５Ｂにより前後方向への移動が規制され、かつ該第１カバー部材５５の前後幅Ｈ１が、第１ボス部３８の前端面３８Ａとアクチュエータモータ３５の軸受け部３５Ｂの後面との隙間より大きいから、該第１カバー部材５５がアクチュエータモータ３５側へ移動して第１ボス部３８から脱落することも防止される。
【００３３】
そして、連結ピン５１は、内部に空洞を有さない中実の棒状部材であるから、該連結ピン５１の内部に製氷水が侵入することがなく、よって該連結ピン５１の内部が製氷水に含有する塩素により腐食することはなく、長期に亘って強度が維持される。また、連結ピン５１は、中空のスプリングピンに比べて剛性が高く、アクチュエータモータ３５の駆動によりカムアーム３３が初期姿勢と作動姿勢との間を回転する際に径方向外方から力が作用しても、破断し難いと共に縮径変形することもない。更に、連結ピン５１が、アーム挿通孔４１および軸挿通孔４２の内径と同径または僅かに小径に形成されているから、カバー部材５５を第１ボス部３８から取外すことで、該アーム挿通孔４１および軸挿通孔４２への挿入作業および該アーム挿通孔４１および軸挿通孔４２からの脱抜作業を簡易に行ない得る。また、連結ピン５１をアーム挿通孔４１および軸挿通孔４２に対して軽い力で差込むことができるから、カムアーム３３の破損や変形も防止し得る。更に、第１カバー部材５５の第２カバー部５７がアーム挿通孔４１の第１開口４１Ｃを塞ぐと共に、第３カバー部５８が該アーム挿通孔４１の第２開口４１Ｄを塞ぐから、製氷水が各開口４１Ｃ,４１Ｄからアーム挿通孔４１内へ侵入し難くなっており、連結ピン５１の腐食を発生し難くすることができる。
【００３４】
(第２実施例)
図３および図４は、第２実施例の水皿開閉機構６０の主要部材を示している。第２実施例の水皿開閉機構６０は、カムアーム３３、アクチュエータモータ３５(駆動軸３６)および連結ピン５１は第１実施例と基本的に同じであり、カバー部材６１の構成が異なっている。第２実施例のカバー部材(以降「第２カバー部材」という)６１は、第１実施例の第１カバー部材５５を基本として、後述する当接片６６を追加したものである。従って、ここでは、第１実施例と同一部材、部位については同一符号で指示し、第２カバー部材６１について主に説明する。
【００３５】
第２カバー部材６１は、第１ボス部３８の第１外周面５３Ａに当接する第１カバー部５６と、第１ボス部３８の第２外周面５３Ｂに当接する第２カバー部５７と、第１ボス部３８の第３外周面５３に当接する第３カバー部５８と、第２カバー部５７の右端および第３カバー部５８の右端に形成された逃げ部５９,５９とを備えている。第２カバー部材６１の第１〜第３カバー部５６,５７,５８および逃げ部５９は、前側から見た形状が第１実施例の第１カバー部材５５の第１〜第３カバー部５６,５７,５８および逃げ部５９の形状と同じに形成されている。なお、第２カバー部材６１の第１〜第３カバー部５６,５７,５８および逃げ部５９は、図４(ｂ)に示すように、その前後幅Ｈ１が、第１ボス部３８の前後幅Ｈ３と同じに設定されている。
【００３６】
また、第２カバー部材６１の前端縁６１Ａには、図３(ａ)および図４に示すように、第１カバー部５６から右方へ延出して駆動軸３６の左側のカット面３６Ａに当接する当接片６６が設けられている。当接片６６は、第１カバー部５６の前端から右方へ延出してカット面３６Ａまで延在する基部６６Ａと、該基部６６Ａの右端から前方へ延出して該カット面３６Ａに左側から当接する係止部としての当接部６６Ｂとを備えている。従って、第２カバー部材６１は、第１ボス部３８の外周面５３に装着すると、当接片６６の当接部６６Ｂが駆動軸３６のカット面３６Ａに当接するようになり、該第２カバー部材６１は第１ボス部３８の周方向へ回転することが該当接片６６により規制されるようになっている。なお、当接片６６の当接部６６Ｂの前端は、図４(ｂ)に示すように、第１ボス部３８の前側に位置するアクチュエータモータ３５の軸受け部３５Ｂに後側から対向しており、第１ボス部３８に装着した当該第２カバー部材６１が前方へ移動することを規制するよう構成されている。
【００３７】
従って、第２実施例の水皿開閉機構６０によれば、第１ボス部３８に装着した第２カバー部材６１の第２カバー部５７および第３カバー部５８によりアーム挿通孔４１の第１開口４１Ｃおよび第２開口４１Ｄが塞がれているから、アクチュエータモータ３５の駆動軸３６とカムアーム３３とを固定した連結ピン５１が、第１開口４１Ｃまたは第２開口４１Ｄから脱抜することを防止し得る。また、第１ボス部３８の第１外周面５３Ａとカバー部材５５の第１カバー部５６とが密着すると共に、当接片６６の当接部６６Ｂが駆動軸３６のカット面３６Ａに当接しているので、第２カバー部材６１にコイルスプリング３４等の他部材が接触しても該第２カバー部材６１が第１ボス部３８の周方向へ回転することが規制され、アーム挿通孔４１の第１開口４１Ｃおよび第２開口４１Ｄの両方が塞がれた状態が維持される。更に、第１ボス部３８に装着した第２カバー部材６１は、カムアーム３３のアーム部３７およびアクチュエータモータ３５の軸受け部３５Ｂにより前後方向への移動が規制されるから、該第２カバー部材６１がアクチュエータモータ３５側へ移動して第１ボス部３８から脱落することも防止される。
【００３８】
(第３実施例)
図５および図６は、第３実施例の水皿開閉機構７０の主要部材を示している。第３実施例の水皿開閉機構７０は、カムアーム３３、アクチュエータモータ３５(駆動軸３６)および連結ピン５１は第１実施例と基本的に同じであり、カバー部材７１の構成が異なっている。第３実施例のカバー部材(以降「第３カバー部材」という)７１は、第１実施例のカバー部材５５を基本として、後述する係止片７６を追加したものである。従って、ここでは、第１実施例と同一部材、部位については同一符号で指示し、第３カバー部材７１について主に説明する。
【００３９】
第３カバー部材７１は、第１ボス部３８の第１外周面５３Ａに当接する第１カバー部５６と、第１ボス部３８の第２外周面５３Ｂに当接する第２カバー部５７と、第１ボス部３８の第３外周面５３Ｃに当接する第３カバー部５８と、第２カバー部５７の右端および第３カバー部５８の右端に形成された逃げ部５９,５９とを備えている。第３カバー部材７１の第１〜第３カバー部５６,５７,５８および逃げ部５９は、前側から見た形状が第１実施例の第１カバー部材５５の第１〜第３カバー部５６,５７,５８および逃げ部５９の形状と同じに形成されている。なお、第３カバー部材７１の第１〜第３カバー部５６,５７,５８および逃げ部５９は、図６(ｂ)に示すように、その前後幅Ｈ１が、第１ボス部３８の前後幅Ｈ３と同じに設定されている。
【００４０】
また、第３カバー部材７１の前端縁７１Ａには、図５(ａ)および図６に示すように、第１カバー部５６の前端に、右方へ延出して駆動軸３６に係止される係止片７６が設けられている。係止片７６は、第１カバー部５６の前端から前方へ延出する基部７６Ａと、該基部７６Ａの前端から右方へ延出して駆動軸３６が挿通可能な係止孔７６Ｃが形成された係止部７６Ｂとを備えている。ここで、係止孔７６Ｃは、駆動軸３６の外径より僅かに大きい内径の真円に形成されており、該駆動軸３６が遊嵌状態で挿通可能に構成されている。従って、第３カバー部材７１は、軸係止孔４０に駆動軸３６を差込む前に第１ボス部３８の外周面５３に装着され、該第３カバー部材７１を第１ボス部３８に装着したもとで軸係止孔４０に駆動軸３６を差込むことを可能とする。なお、係止部７６Ｂは、図６(ｂ)に示すように、第１ボス部３８の前側に位置するアクチュエータモータ３５の軸受け部３５Ｂに対向しており、第１ボス部３８に装着した第３カバー部材７１が前方へ移動することを規制するよう構成されている。
【００４１】
更に、第３カバー部材７１は、第１カバー部５６の下端近傍に、連結ピン５１の外径より大径の通孔７７が形成されている。この通孔７７は、図６(ａ)に２点鎖線で表示するように、第３カバー部材７１を第１ボス部３８に対して左方に回転させ、下側の逃げ部５９が突部５４に当接した状態において、アーム挿通孔４１の第２開口４１Ｄに整合するようになっている。すなわち、第３カバー部材７１は、図６(ａ)に２点鎖線で表示する位置(開放位置)まで回転させると、第１ボス部３８に装着した状態において、第２開口４１Ｄに整合した通孔７７を介して、アーム挿通孔４１への連結ピン５１の挿入作業および該アーム挿通孔４１からの連結ピン５１の脱抜作業を行ない得るように構成されている。
【００４２】
従って、第３実施例の水皿開閉機構７０によれば、第１ボス部３８に装着した第３カバー部材７１の第２カバー部５７および第３カバー部５８によりアーム挿通孔４１の第１開口４１Ｃおよび第２開口４１Ｄが塞がれているから、アクチュエータモータ３５の駆動軸３６とカムアーム３３とを固定した連結ピン５１が、第１開口４１Ｃまたは第２開口４１Ｄから脱抜することを防止し得る。そして、第１ボス部３８の第１外周面５３Ａと第３カバー部材７１の第１カバー部５６とが密着した状態となるから、第３カバー部材７１が第１ボス部３８の周方向へ回転し難くなっており、第３カバー部材７１にコイルスプリング３４等の他部材が接触しても該第３カバー部材７１の回転を抑制し得る。更に、第１ボス部３８に装着した第３カバー部材７１は、カムアーム３３のアーム部３７およびアクチュエータモータ３５の軸受け部３５Ｂにより前後方向への移動が規制されるから、該第３カバー部材７１がアクチュエータモータ３５側へ移動して第１ボス部３８から脱落することも防止される。
【００４３】
そして、第３実施例の水皿開閉機構７０では、メンテナンス作業や点検作業等に際して、カムアーム３３をアクチュエータモータ３５から取外す必要がある場合には、第３カバー部材７１を第１ボス部３８に装着した状態で該第１ボス部３８の周方向へ回転させ、通孔７７が第２開口４１Ｄに整合した開放位置(図６(ａ)に２点鎖線で示す位置)とすることで、当該第３カバー部材７１を第１ボス部３８から取外すことなくアーム挿通孔４１および軸挿通孔４２に対する連結ピン５１の挿入作業や脱抜作業を簡易に行なうことが可能であり、該連結ピン５１の交換を簡易に行なうことができる。
【００４４】
(第４実施例)
図７〜図９は、第４実施例の水皿開閉機構８０の主要部材を示している。第４実施例の水皿開閉機構８０は、カムアーム３３およびアクチュエータモータ３５の駆動軸３６は、第１実施例と基本的に同じであり、連結ピン８１およびカバー部材８２の構成が異なっている。従って、ここでは、第１実施例と同一部材、部位については同一符号で指示し、連結ピン８１およびカバー部材８２について説明する。
【００４５】
第４実施例の連結ピン８１は、図７(ａ)および図９(ｂ)に示すように、内部に空洞を有さない中実の細長部材であり、長手方向と直交する短手方向の断面形状が円形である。連結ピン８１は、アーム挿通孔４１および軸挿通孔４２に亘って挿入される軸部８１Ａと、該軸部８１Ａの長手方向の一端部に設けられ、アーム挿通孔４１の第１開口４１Ｃの内径より大きい外径に形成された頭部８１Ｂとから構成されている。軸部８１Ａは、アーム挿通孔４１の第１開口４１Ｃと第２開口４１Ｄとの距離と同一長または僅かに短い長さで、かつ該第１アーム挿通孔４１Ａおよび軸挿通孔４２の内径と同一または僅かに小さい外径に形成されている。従って連結ピン８１は、軸部８１Ａをアーム挿通孔４１および軸挿通孔４２に挿入して頭部８１Ｂが第１ボス部３８の外周面５３に係止されることで第２開口４１Ｄから脱抜することが規制されると共に、該軸部８１Ａが第２開口４１Ｄから突出しない。そして連結ピン８１は、アーム挿通孔４１および軸挿通孔４２に軸部８１Ａを差込む際に軽い力で挿入することが可能であり、また軸部８１Ａがアーム挿通孔４１および軸挿通孔４２に挿入された状態において、第２開口４１Ｄに臨む軸部８１Ａを軸方向へ押すことで、第１開口４１Ｃ側から第１ボス部３８の外へ簡易に抜き出すことが可能である。
【００４６】
第４実施例におけるカバー部材(以降「第４カバー部材」という)８２は、図７(ｂ)および図９に示すように、第１ボス部３８を前側から被覆した状態で装着し得る形状に形成された合成樹脂製の成形部材であり、該第１ボス部３８に貫通形成されたアーム挿通孔４１の各開口４１Ｃ,４１Ｄを塞ぎ得るように構成されている。すなわち、第４カバー部材８２は、アーム挿通孔４１に差込んだ連結ピン８１が、該アーム挿通孔４１から脱抜するのを防止する部材である。
【００４７】
第４カバー部材８２は、図８(ａ)および図８(ｂ)に示すように、第１ボス部３８の前端面３８Ａを被覆する円板状に形成された前壁部(壁部)８３と、前壁部８３の外周縁から後方へ延出すると共に該前壁部８３の外周縁に沿って円弧状に延在する外周壁部８４とを備えている。前壁部８３は、第１ボス部３８の前端面３８Ａを被覆する大きさに形成され(図７(ｂ)参照)、中央には、駆動軸３６の挿通を許容する開口８３Ａが形成されている。
【００４８】
外周壁部８４は、図８(ａ)、図８(ｂ)および図９(ａ)に示すように、前壁部８３の外周縁における全周の２／３程度の長さに亘って延在し、周方向における略中央を境にして第１カバー部８５および第２カバー部８６に分けられ、第１カバー部８５が第２カバー部８６より厚みが小さくなっている。すなわち外周壁部８４は、外側が第１カバー部８５および第２カバー部８６が連続する曲面となっており、内側が第１カバー部８５の内径より第２カバー部８６の内径が小さくなっている。ここで、第２カバー部８６の内面８６Ａは、第１ボス部３８の第３外周面５３Ｃの曲率と同じ曲率となっており、第４カバー部材８２を第１ボス部３８に装着した際には、第２カバー部８６が第３外周面５３Ｃに接触すると共に、第１カバー部８５は第２外周面５３Ｂおよび第３外周面５３Ｃから離間するようになっている。また、第４カバー部材８２は、第１ボス部３８に装着した際に、第３外周面５３Ｃに第２カバー部８６が接触した状態で周方向へ回転可能となっている。
【００４９】
第４カバー部材８２の第２カバー部８６には、図８(ａ)、図８(ｂ)および図９(ａ)に示すように、第１カバー部８５に近接した部位に、内面８６Ａから外方へ凹んだ凹部(第２回転規制部)８７が、前後方向に延在するよう形成されている。この凹部８７は、第４カバー部材８２が図９(ｂ)に示す保持位置において、第１ボス部３８に形成された突部５４が嵌合するようになっており、該第４カバー部材８２は、該保持位置において周方向への回転が規制されるようになっている。そして、第４カバー部材８２が保持位置にある場合には、アーム挿通孔４１の第１開口４１Ｃが第１カバー部８５により被覆されると共に、該アーム挿通孔４１の第２開口４１Ｄが第２カバー部８６により塞がれるようになっている。
【００５０】
また、第４カバー部材８２の第２カバー部８６は、図８(ａ)、図８(ｂ)および図９(ａ)に示すように、該第４カバー部材８２が図９(ａ)に示す位置において、第１ボス部３８に形成された第２開口４１Ｄに整合する操作孔８８が形成されている。ここで、第４カバー部材８２が図９(ａ)に示す位置(開放位置)となると、第１カバー部８５がアーム挿通孔４１の第１開口４１Ｃから退避して該第１開口４１Ｃが露出されるようになっている。従って、第４カバー部材８２を開放位置に回転させると、アーム挿通孔４１および軸挿通孔４２に挿入された連結ピン８１を該操作孔８８を介して押すことが可能となり、アーム挿通孔４１および軸挿通孔４２に挿入された連結ピン８１を第１開口４１Ｃを介して第１ボス部３８の外方へ押し出すことが可能となる。
【００５１】
また、第４カバー部材８２の第１カバー部８５は、図９(ｂ)に示すように、第１ボス部３８の第２外周面５３Ｂに対し、連結ピン８１の頭部８１Ｂの突出高さ(第２外周面５３Ｂからの突出高さ)と同じ間隔で該第２外周面５３Ｂから離間している。従って、第４カバー部材８２の第１カバー部８５は、図９(ａ)に示す開放位置においては、第１ボス部３８の突部５４の頂部に接触するようになり、該開放位置から保持位置に回転させる際に、アーム挿通孔４１および軸挿通孔４２に挿入した連結ピン８１の頭部８１Ｂの頂部に接触または近接した状態で移動するようになっている。従って、第４カバー部材８２は、保持位置と開放位置との間を回転する際に、第２カバー部８６が連結ピン８１の頭部８１Ｂにより回転が規制されない。
【００５２】
(第４実施例の作用)
前述のように構成された第４実施例の水皿開閉機構８０は、図７(ａ)に示すように、アクチュエータモータ３５の駆動軸３６をカムアーム３３の軸係止孔４０に差込む前に、カムアーム３３の第１ボス部３８に装着する。この際に、第４カバー部材８２は、図９(ａ)に示す開放位置または該開放位置に近い位置となるように第１ボス部３８に装着し、第１カバー部８５が第１開口４１Ｃから退避するようにする。そして、アクチュエータモータ３５の駆動軸３６を、第４カバー部材８２の開口８３Ａを介して軸係止孔４０に差込んで、カムアーム３３を該駆動軸３６に支持させると共に、アーム挿通孔４１と軸挿通孔４２とを一直線に整列させる。次いで、第１開口４１Ｃを介して連結ピン８１の軸部８１Ａをアーム挿通孔４１および軸挿通孔４２へ差込み、該連結ピン８１の頭部８１Ｂが第１ボス部３８の外周面５３(第２外周面５３Ｂ)係止した状態とする。
【００５３】
次に、第４カバー部材８２を保持位置に向け周方向へ回転させ(図７(ｂ)および図９(ｂ))、第１ボス部３８の突部５４と凹部８７とを嵌合させることで、該第４カバー部材８２を該保持位置に保持させる。ここで、第４カバー部材８２は、弾性変形が可能な合成樹脂製の部材であり、周方向へ回転させる際に弾性変形することで突部５４と凹部８７との嵌合が可能である。これにより、第１カバー部８５が第１開口４１Ｃの外側に位置して連結ピン８１の頭部８１Ｂを保持すると共に、第２カバー部８６が第２開口４１Ｄの外側に位置して該第２開口４１Ｄを塞ぐようになり、アーム挿通孔４１および軸挿通孔４２に軸部８１Ａが挿入された連結ピン８１が軸方向へ移動することを規制する。
【００５４】
このような第４実施例の水皿開閉機構８０によれば、第１ボス部３８に装着した第４カバー部材８２を保持位置とすることで、アクチュエータモータ３５の駆動軸３６とカムアーム３３とを固定した連結ピン８１が、第１開口４１Ｃから脱抜することを防止し得る。そして、第１ボス部３８の突部５４と第４カバー部材８２の凹部８７とが嵌合することで、通常の使用状態においては第４カバー部材８２が第１ボス部３８の周方向へ回転し難くなっており、第４カバー部材８２にコイルスプリング３４等の他部材が接触してもアーム挿通孔４１の第１開口４１Ｃおよび第２開口４１Ｄを塞いだ状態が維持され、連結ピン８１がアーム挿通孔４１から脱抜することが防止される。
【００５５】
そして、第４実施例の水皿開閉機構８０では、メンテナンス作業や点検作業等に際して、カムアーム３３をアクチュエータモータ３５から取外す必要がある場合には、第４カバー部材８２を第１ボス部３８に装着したままで該第１ボス部３８の周方向へ回転させて、操作孔８８を第２開口４１Ｄに整合した開放位置とすることで、当該第４カバー部材８２を第１ボス部３８から取外すことなくアーム挿通孔４１および軸挿通孔４２に対する連結ピン８１の挿入作業や脱抜作業を簡易に行なうことが可能であり、連結ピン８１の交換を簡易に行なうことができる。また、第４カバー部材８２は、第１ボス部３８の前端面３８Ａを前壁部８３で覆うと共に、該第１ボス部３８の外周面５３に第１カバー部８５および第２カバー部８６が沿うようになるから、アーム挿通孔４１内への製氷水の侵入を阻止することができ、アーム挿通孔４１および軸挿通孔４２へ挿入された連結ピン８１を腐食し難くすることができる。
【００５６】
(第５実施例)
図１０および図１１は、第５実施例の水皿開閉機構９０の主要部材を示している。第５実施例の水皿開閉機構９０は、アクチュエータモータ３５(駆動軸３６)および連結ピン５１は第１実施例と基本的に同じであり、カムアーム３３およびカバー部材９１の構成が異なっている。なお、カムアーム３３は、図１０(ａ)に示すように、第１ボス部３８の外周面５３に突部５４がなく、第２外周面５３Ｂと第３外周面５３Ｃとが連続している点が異なっている。従って、ここでは、第１実施例と同一部材、部位については同一符号で指示し、カバー部材９１について主に説明する。
【００５７】
第５実施例におけるカバー部材(以降「第５カバー部材」という)９１は、弾性変形可能なステンレス等の金属板材を折曲したり、合成樹脂材からインジェクション成形された成形部材であり、図１０(ａ)および図１０(ｂ)に示すように、第１ボス部３８の第２外周面５３Ｂおよび第３外周面５３Ｃに沿う円弧状に形成されたカバー部９２と、カバー部９２の後端縁９２Ａに連設されて支持軸３１に係止される係止片９３とから構成されている。第５カバー部材９１のカバー部９２は、図１０(ａ)および図１１(ａ)に示すように、第２外周面５３Ｂの左端から第３外周面５３Ｃの左端まで延在して該第２および第３外周面５３Ｂ,５３Ｃの全体を覆うサイズに形成されており、前側から見て「逆Ｃ字形」に形成されている。そして、カバー部９２は、第１ボス部３８の外周面５３に装着した際に、第２外周面５３Ｂおよび第３外周面５３Ｃの全面に密着するようになっており、第２外周面５３Ｂに開口したアーム挿通孔４１の第１開口４１Ｃおよび第３外周面５３Ｃに開口した該アーム挿通孔４１の第２開口４１Ｄを外側から塞ぐようになっている。
【００５８】
係止片９３は、図１０(ｂ)および図１１(ｂ)に示すように、第１カバー部８５の後端右側から後方へ延出する基部９３Ａと、該基部９３Ａの後端から左方へ延出して支持軸３１が挿通可能な係止孔９３Ｃが形成された係止部９３Ｂとを備えている。ここで、支持軸３１は、前端から後方へ所要長に亘る部分が、アクチュエータモータ３５の駆動軸３６と同様に、外周面の対向する両側に平面部３１Ａ,３１Ａが形成されている。これに伴い、カムアーム３３の第２ボス部３９に形成された軸支持孔４５は、支持軸３１の断面形状に合致するように、左右に離間する平坦な平面部４５Ａ,４５Ａが形成されている。従って、係止片９３の係止孔９３Ｃは、軸支持孔４５の開口形状と同じ形状に開口形成されており、支持軸３１が挿通可能に構成されている。そして、第５カバー部材９１は、図１０(ｂ)および図１１(ａ)に示すように、軸支持孔４５に支持軸３１を差込む前に第１ボス部３８の外周面５３に装着すると、係止片９３が第２ボス部３９の後端面３９Ａの後側に臨んで、該係止片９３の係止孔９３Ｃが軸支持孔４５の開口に整合するようになっている。
【００５９】
第１ボス部３８に装着された第５カバー部材９１は、係止片９３の係止孔９３Ｃを介して支持軸３１が軸支持孔４５に差込まれることで、該係止片９３が支持軸３１に回転不能に係止されるため、カバー部９２が第１ボス部３８の周方向へ回転することが規制されるようになっている。また、第５カバー部材９１は、図１０(ｂ)および図１１(ｂ)に示すように、カバー部９２がカムアーム３３のアーム部３７の前側に位置すると共に係止片９３が第２ボス部３９の後端面３９Ａの後側に位置しているから、前後方向への移動も規制される。
【００６０】
従って、第５実施例の水皿開閉機構９０によれば、第１ボス部３８に装着した第５カバー部材９１のカバー部９２によりアーム挿通孔４１の第１開口４１Ｃおよび第２開口４１Ｄが塞がれているから、アクチュエータモータ３５の駆動軸３６とカムアーム３３とを固定した連結ピン５１が、第１開口４１Ｃまたは第２開口４１Ｄから脱抜することを防止し得る。また、係止孔９３Ｃに挿通した支持軸３１に係止片９３が回転不能に係止されているので、第５カバー部材９１にコイルスプリング３４等の他部材が接触しても該第５カバー部材９１が第１ボス部３８の周方向へ回転することが規制されて、アーム挿通孔４１の第１開口４１Ｃおよび第２開口４１Ｄの両方が塞がれた状態が維持される。更に、第１ボス部３８に装着した第５カバー部材９１は、カムアーム３３のアーム部３７および第２ボス部３９により前後方向への移動が規制されるから、該第５カバー部材９１がアクチュエータモータ３５側へ移動して第１ボス部３８から脱落することも防止される。
【００６１】
(第６実施例)
図１２および図１３は、第６実施例の水皿開閉機構１００の主要部材を示している。第６実施例の水皿開閉機構１００は、カムアーム３３およびアクチュエータモータ３５(駆動軸３６)が第１実施例と基本的に同じであり、連結ピン１０１およびカバー部材１０２の構成が異なっている。第６実施例のカバー部材(以降「第６カバー部材」という)１０２は、第１実施例の第１カバー部材５５を基本として、後述する係合孔１０７を追加したものである。従って、ここでは、第１実施例と同一部材、部位については同一符号で指示し、連結ピン１０１およびカバー部材１０２について主に説明する。
【００６２】
第６実施例の連結ピン１０１は、図１２(ａ)および図１３(ａ)に示すように、内部に空洞を有さない中実の細長部材であり、長手方向と直交する短手方向の断面形状が円形である。連結ピン１０１は、アーム挿通孔４１および軸挿通孔４２に亘って挿入される軸部１０１Ａと、該軸部１０１Ａの長手方向の一端部に設けられ、アーム挿通孔４１の第１開口４１Ｃの内径より大きい外径に形成された頭部１０１Ｂとから構成されている。軸部１０１Ａは、アーム挿通孔４１の第１開口４１Ｃと第２開口４１Ｄとの距離より長く、かつ該第１アーム挿通孔４１Ａおよび軸挿通孔４２の内径と同一または僅かに小さい外径に形成されている。従って連結ピン１０１は、頭部１０１Ｂが第１ボス部３８の外周面５３(第２外周面５３Ｂ)に係止した状態において(図１３(ａ)参照)、第２開口４１Ｄから突出するようになっている。ここで、第２開口４１Ｄからの軸部１０１Ａの突出量は、第６カバー部材１０２の厚み以上となっている。
【００６３】
第６カバー部材１０２は、第１ボス部３８の第１外周面５３Ａに当接する第１カバー部５６と、第１ボス部３８の第２外周面５３Ｂに当接する第２カバー部５７と、第１ボス部３８の第３外周面５３Ｃに当接する第３カバー部５８と、第２カバー部５７の右端および第３カバー部５８の右端に形成された逃げ部５９,５９とを備えている。第６カバー部材１０２の第１〜第３カバー部５６,５７,５８および逃げ部５９は、前側から見た形状が第１実施例の第１カバー部材５５の第１〜第３カバー部５６,５７,５８および逃げ部５９の形状と同じに形成されている。なお、第３カバー部材７１の第１〜第３カバー部５６,５７,５８および逃げ部５９は、その前後幅が、第１ボス部３８の前後幅と同じに設定されている(図１２(ｂ)参照)。
【００６４】
第６カバー部材１０２は、第３カバー部５８に、連結ピン１０１の外径より大径の係合孔(係合部)１０７が形成されている。この係合孔１０７は、図１３(ｂ)に示すように、第６カバー部材１０２を第１ボス部３８の外周面５３に装着すると、アーム挿通孔４１の第２開口４１Ｄに整合する位置に形成されている。従って、第１ボス部３８の外周面５３に対する第６カバー部材１０２の装着時には、アーム挿通孔４１に挿入した連結ピン１０１における軸部１０１Ａの先端が係合孔１０７に挿通されるよう構成されている。
【００６５】
第６カバー部材１０２は、図１３(ａ)に示すように、第１ボス部３８の外周面５３に装着する際に、各逃げ部１０６,１０６を該外周面５３の第１外周面５３Ａおよび第３外周面５３Ｃの左端に当接させて第２カバー部５７および第３カバー部５８が互いに離間するように弾性変形させることで、第１ボス部３８の外周面５３への装着が許容される。このとき、第３カバー部５８に形成された係合孔１０７に連結ピン１０１の軸部１０１Ａを挿通させながら、該第３カバー部５８を第３外周面５３Ｃに沿わせ、第２カバー部５７を第２外周面５３Ｂに沿わせるようにする。そして、第１ボス部３８の外周面５３に装着された第６カバー部材１０２は、図１２(ｂ)および図１３(ｂ)に示すように、第１カバー部５６が第１外周面５３Ａに密着し、第２カバー部５７が第２外周面５３Ｂに略密着すると共に、第３カバー部５８が第３外周面５３Ｃに密着するようになり、該第２カバー部５７および第３カバー部５８の弾性変形に伴う弾力により該第１カバー部５６を挟持した状態で保持される。これにより、第６カバー部材１０２の第２カバー部５７が、アーム挿通孔４１に挿通した連結ピン１０１の頭部１０１Ｂを保持した状態となる。
【００６６】
従って、第６実施例の水皿開閉機構１００によれば、第１ボス部３８に装着した第６カバー部材１０２の第２カバー部５７が、アーム挿通孔４１に挿入した連結ピン１０１の頭部１０１Ｂに外側から当接しているから、アクチュエータモータ３５の駆動軸３６とカムアーム３３とを固定した該連結ピン１０１が、第１開口４１Ｃまたは第２開口４１Ｄから脱抜することを防止し得る。そして、第１ボス部３８に装着された第６カバー部材１０２は、第１カバー部５６が第１外周面５３Ａに当接すると共に、第３カバー部５８に形成された係合孔１０７に連結ピン１０１の軸部１０１Ａが係止しているので、第６カバー部材１０２にコイルスプリング３４等の他部材が接触しても該第６カバー部材１０２が第１ボス部３８の周方向へ回転することが規制されて、アーム挿通孔４１の第１開口４１Ｃおよび第２開口４１Ｄの両方が塞がれた状態が維持される。
【００６７】
(第７実施例)
図１４および図１５は、第７実施例の水皿開閉機構１１０の主要部材を示している。第７実施例の水皿開閉機構１１０は、アクチュエータモータ３５(駆動軸３６)および連結ピン５１は第１実施例と基本的に同じであり、カムアーム３３およびカバー部材１１１の構成が異なっている。なお、カムアーム３３は、図１４(ａ)に示すように、第１ボス部３８の外周面５３に突部５４がなく、第２外周面５３Ｂと第３外周面５３Ｃとが連続している点が異なっている。従って、ここでは、第１実施例と同一部材、部位については同一符号で指示し、カバー部材１１１について主に説明する。
【００６８】
第７実施例におけるカバー部材(以降「第７カバー部材」)１１１は、弾性変形可能なステンレス等の金属板材を折曲したり、合成樹脂材からインジェクション成形された成形部材であり、図１４および図１５に示すように、第１ボス部３８の第１外周面５３Ａに沿う形状に形成された第１カバー部(第２回転規制部)１１２と、該第１カバー部１１２の上端から右方へ延在し、第２外周面５３Ｂの上部に沿うよう上方へ凸となる円弧状に形成された第２カバー部１１３と、該第１カバー部１１２の下端から右方へ延在し、第２外周面５３Ｂの下部に沿うよう下方へ凸となる円弧状に形成された第３カバー部１１４とを備えている。ここで、第２カバー部１１３は、その右端に、第３外周面５３Ｃ側へ円弧状に湾曲して先端が径方向外方へ折曲した第１把持片１１５が形成されると共に、第３カバー部１１４は、その右端には、第２外周面５３Ｂ側へ円弧状に湾曲して先端が径方向外方へ折曲した第２把持片１１６が形成されている。第１把持片１１５および第２把持片１１６は、第１ボス部３８の周方向において前後方向で重なった状態に形成されている。これにより、第７カバー部材１１１は、第１把持片１１５および第２把持片１１６の折曲部を互いに近接させることで、第２カバー部１１３と第３カバー部１１４とを互いに離間するよう拡開的に弾性変形させ得る。
【００６９】
ここで、第７カバー部材１１１の各寸法は、図１４(ａ)に示すように、第１ボス部３８への装着前の通常状態における第２カバー部１１３と第３カバー部１１４との間の最大間隔Ｄ１が、第１ボス部３８の第２外周面５３Ｂおよび第３外周面５３Ｃの最大間隔Ｄ２以下に設定されている。また、図１５(ａ)に示すように、第１把持片１１５と第２把持片１１６とを近接させ、第２カバー部１１３と第３カバー部１１４とを拡開的に弾性変形させた際際の拡開間隔Ｄ３は、第１ボス部３８の第２外周面５３Ｂおよび第３外周面５３Ｃの最大間隔Ｄ２より大きくなるように設定され、第１ボス部３８に装着した第７カバー部材１１１を周方向へ回転することが可能となる。なお、図１４(ｂ)に示すように、第１〜第３カバー部１１２,１１３,１１４の前後幅Ｈ１は、第１ボス部３８の前後幅(アーム部３７から後方への突出幅)Ｈ３と同じに設定されている。
【００７０】
また、第７カバー部材１１１は、図１４(ａ)および図１５(ｂ)に示すように、第２カバー部１１３における第１カバー部１１２に近接する部位に、連結ピン５１の外径より大径に開口した通孔１１７が形成されている。この通孔１１７は、図１５(ａ)に示すように、第７カバー部材１１１を第１ボス部３８の外周面５３に装着した状態(保持位置)では、アーム挿通孔４１の第１開口４１Ｃから外れた位置に形成されている。そして第７カバー部材１１１は、図１５(ｂ)に示すように、第１把持片１１５および第２把持片１１６を近接させ、第７カバー部材１１１を周方向へ回転させることで、アーム挿通孔４１の第１開口４１Ｃに該通孔１１７を整合させた位置(開放位置)とすることが可能となっている。
【００７１】
従って、第７カバー部材１１１は、図１５(ｂ)に示すように、第１ボス部３８の外周面５３に装着する際に、第１把持片１１５および第２把持片１１６を近接させて第２カバー部１１３と第３カバー部１１４とを離間させることで、第１ボス部３８の外周面５３への装着が許容される。そして、第１ボス部３８の外周面５３に装着して保持位置とした第７カバー部材１１１は、図１４(ｂ)および図１５(ｂ)に示すように、第１カバー部１１２が第１外周面５３Ａに密着し、第２カバー部１１３が第２外周面５３Ｂに略密着すると共に、第３カバー部１１４が第３外周面５３Ｃに密着するようになり、該第２カバー部１１３および第３カバー部１１４の弾性変形に伴う弾力により該第１ボス部３８を挟持した状態で保持される。これにより、第７カバー部材１１１の第２カバー部１１３および第３カバー部１１４が、アーム挿通孔４１の第１開口４１Ｃおよび第２開口４１Ｄを塞いだ状態となる。
【００７２】
第７実施例の水皿開閉機構１１０によれば、第１ボス部３８に装着した第７カバー部材１１１の第２カバー部１１３がアーム挿通孔４１の第１開口４１Ｃを塞ぐと共に、該第７カバー部材１１１の第３カバー部１１４がアーム挿通孔４１の第２開口４１Ｄを塞ぐから、アクチュエータモータ３５の駆動軸３６とカムアーム３３とを固定した該連結ピン５１が、第１開口４１Ｃまたは第２開口４１Ｄから脱抜することを防止し得る。そして、第１ボス部３８に装着された第７カバー部材１１１は、第１カバー部１１２が第１外周面５３Ａに当接しているので、第７カバー部材１１１が第１ボス部３８の周方向へ回転し難くなっており、通常の使用状態において第７カバー部材１１１にコイルスプリング３４等の他部材が接触してもアーム挿通孔４１の第１開口４１Ｃおよび第２開口４１Ｄを塞いだ状態が維持され、連結ピン５１がアーム挿通孔４１から脱抜することが防止される。
【００７３】
そして、第７実施例の水皿開閉機構１１０では、メンテナンス作業や点検作業等に際して、カムアーム３３をアクチュエータモータ３５から取外す必要がある場合には、第１ボス部３８に装着した状態で第１把持片１１５および第２把持片１１６の折曲部を近接移動させたもとで、第７カバー部材１１１を該第１ボス部３８の周方向へ回転させて通孔１１７が第１開口４１Ｃに整合した開放位置とする。そして、通孔１１７を介して第１開口４１Ｃから連結ピン５１を押圧することで、該第７カバー部材１１１を第１ボス部３８から取外すことなく、アーム挿通孔４１および軸挿通孔４２に対する当該連結ピン５１の挿入作業や脱抜作業を簡易に行なうことが可能である。
【００７４】
(変更例)
（１）カムアームの第１ボス部に装着したカバー部材の周方向への回転抑制については、前述した各実施例に例示した形態に限定されるものではなく、様々な形態が考えられる。例えば、第１ボス部の外周面における第１外周面に、径方向へ突出する凸部を設け、カバー部材の第１カバー部には、該凸部に径方向から整合する凹部を設け、第１ボス部の凸部とカバー部材の凹部とを係合させるようにしても、該カバー部材の周方向の回転を抑制し得る。また、第１ボス部の外周面における第１外周面に、径方向へ凹んだ凹部を設け、カバー部材の第１カバー部には、該凹部に径方向から整合する凸部を設け、第１ボス部の凹部とカバー部材の凸部とを係合させるようにしても、該カバー部材の周方向の回転を抑制し得る。
（２）第４実施例の第４カバー部材８２は、外周壁部８４を、前壁部８３の外縁全周に亘って形成するようにしてもよい。このような形態の場合には、外周壁部８４において、操作孔８８と対向する部位に、該操作孔８８と同じ第２の操作孔８８を開設することで、開放位置において連結ピン８１の挿入作業および脱抜作業が可能である。また、前壁部８３および外周壁部８４により、第１ボス部３８の外周面５３が被覆されるから、第１開口４１Ｃおよび第２開口４１Ｄからアーム挿通孔４１および軸挿通孔４２への製氷水の侵入を好適に阻止し得る。
（３）実施例では、水皿２２を水平姿勢および傾斜姿勢に水皿２２を動作させる水皿開閉機構を備えた自動製氷機を例示したが、本願発明が対象とする自動製氷機は、水皿を垂直姿勢および傾斜姿勢に動作させる水皿開閉機構を備えたものも対象とされる。
【符号の説明】
【００７５】
２１ 製氷部，２２ 水皿，３１ 支持軸，３３ カムアーム
３５ アクチュエータモータ(作動手段)，３６ 駆動軸，３７Ａ 基部，３７Ｂ 先端部
３８ ボス部，４１ アーム挿通孔，４１Ｃ 第１開口(開口)，４１Ｄ 第２開口(開口)
４２ 軸挿通孔，５１ 連結ピン，５３ 外周面，５３Ａ 第１外周面(第１回転規制部)
５４ 突部(第１回転規制部)，５６ 第１カバー部(第２回転規制部)
５５ 第１カバー部材(カバー部材)，５７ 第２カバー部(カバー部)
５８ 第３カバー部(カバー部)，６１ 第２カバー部材(カバー部材)
６６Ｂ 当接部(係止部)，７１ 第３カバー部材(カバー部材)，８１ 連結ピン
８２ 第４カバー部材(カバー部材)，８５ 第１カバー部(カバー部)
８６ 第２カバー部(カバー部)，８７ 凹部(第２回転規制部)
９１ 第５カバー部材(カバー部材)，９２ カバー部，９３Ｂ 係止部，１０１ 連結ピン
１０１Ｂ 頭部，１０２ 第６カバー部材(カバー部材)，１１３ 第２カバー部(カバー部)
１０７ 係合孔(係合部)，１１４ 第３カバー部(カバー部)
１１１ 第７カバー部材(カバー部材)，１１２ 第１カバー部(第２回転規制部)
【図１】
2014115044.tif 000003
【図２】
2014115044.tif 000004
【図３】
2014115044.tif 000005
【図４】
2014115044.tif 000006
【図５】
2014115044.tif 000007
【図６】
2014115044.tif 000008
【図７】
2014115044.tif 000009
【図８】
2014115044.tif 000010
【図９】
2014115044.tif 000011
【図１０】
2014115044.tif 000012
【図１１】
2014115044.tif 000013
【図１２】
2014115044.tif 000014
【図１３】
2014115044.tif 000015
【図１４】
2014115044.tif 000016
【図１５】
2014115044.tif 000017
【図１６】
2014115044.tif 000018
【図１７】
2014115044.tif 000019
【図１８】
2014115044.tif 000020
【図１９】
2014115044.tif 000021
【図２０】
2014115044.tif 000022